(57)【要約】【課題】  多様な形態の屋根に対して汎用的に適用可能で費用の削減や作業時間の短縮が可能な、太陽電池パネルの据付具を提供すること。【解決手段】  瓦屋根に太陽電池パネル１を載せる場合、ガイド孔１７によって基板１１の上を移動可能な支持具１２を設けて、支持具１２を瓦５６に対して最適な状態になるよう位置調整でき、しかも固定孔１６を長孔とすることで、タルキ５３の間隔が異なる場合でも問題なく釘５８で基板１１を固定できる。また折板屋根の上に土台６１を据え付ける場合、受け具３１と押さえ具３２とからなる据付具を用いることで、据付ボルト６４の間隔などに誤差があっても、これを吸収して土台６１を固定でき、据付作業が簡単確実に実施できる。【選択図】      図１
2006104770.tif 000002
【特許請求の範囲】
【請求項１】
隣接するタルキ（５３）を跨ぐように載置できる基板（１１）と、太陽電池パネル（１）を取り付けるレール（５９）を固定するための支持具（１２）と、基板（１１）と支持具（１２）を締結する締結手段（２０，２１）と、から構成され、
基板（１１）は、幅方向に延びる段差部（１４）を境として、野地板（５４）に接する固定部（１３）と、野地板（５４）に接しない滑り部（１５）と、に区画され、前記固定部（１３）の両端付近には、幅方向に延びる固定孔（１６）を備え、また前記滑り部（１５）には、幅方向に延びるガイド孔（１７）を備えており、
支持具（１２）は、前記滑り部（１５）上面に接触する底板（１８）を備え、該底板（１８）には係止孔（１９）を備えており、
締結手段（２０，２１）であるボルト（２０）は、前記ガイド孔（１７）から係止孔（１９）に向けて差し込まれており、支持具（１２）はガイド孔（１７）を案内として滑り部（１５）を移動可能であり、ボルト（２０）にナット（２１）を螺合させることで、支持具（１２）を基板（１１）に一体化できることを特徴とする太陽電池パネルの据付具。
【請求項２】
太陽電池パネル（１）を支持するため屋根上に設置される土台（６１）の周囲を取り囲むように形成された受け具（３１）と、該受け具（３１）に収容された土台（６１）を押圧するための押さえ具（３２）と、受け具（３１）と押さえ具（３２）を一体化する締結手段（３５，３６）と、から構成され、
受け具（３１）または押さえ具（３２）のいずれか一方には、屋根上に突出している据付ボルト（６４）を挿通できる取付孔（３３）を備えており、
前記取付孔（３３）に据付ボルト（６４）を挿通し、ナット（６６）を螺合させて固定して、受け具（３１）と押さえ具（３２）を締結手段（３５，３６）で一体化して、土台（６１）を挟み込んで固定できることを特徴とする太陽電池パネルの据付具。
【請求項３】
土台（６１）と太陽電池パネル（１）を載せる架台（６３）との間に設置され、内筒（４１）と、該内筒（４１）を内部に収納可能な外筒（４２）と、から構成され、
内筒（４１）または外筒（４２）のいずれか一方に、軸線（４７）方向に沿って延在するジャッキボルト（４３）を備え、他方には前記ジャッキボルト（４３）に螺合するナット（４４）を備え、ジャッキボルト（４３）とナット（４４）との螺合により内筒（４１）と外筒（４２）が一体化していることを特徴とする太陽電池パネルの据付具。
【発明の詳細な説明】
【技術分野】
【０００１】
本発明は、太陽電池パネルを住宅や工場などの屋根に設置するために使用される、太陽電池パネルの据付具に関する。
【背景技術】
【０００２】
太陽電池パネルは、価格の低下や余剰電力を電力会社に売却できるなどの要因から、近年では工場や一般の住宅にも設置され始めている。しかし大半の建物は、太陽電池パネルの設置を考慮して設計された訳ではなく、そのため太陽電池パネルを既存の屋根に固定するため各種の据付具が必要である。瓦屋根に太陽電池パネルを設置する場合、従来、図９や図１０に示すような方法が普及している。図９は瓦屋根に太陽電池パネルを設置する場合の概要を示す斜視図で、瓦５６の下の野地板５４に金具５１を取り付けて、金具５１の先端を瓦５６の間から外に出し、金具５１にＬ字形のアングル５７を介してレール５９を固定している。レール５９は、太陽電池パネル１のメーカより供給されるもので、これ以降はメーカから供給される部品と設置工事マニュアルに基づき太陽電池パネル１の据付が可能である。
【０００３】
図１０は瓦屋根に太陽電池パネルを設置する方法の詳細を示すもので、図１０（Ａ）は屋根の断面図である。屋根には荷重を受け止めるため、頂部から軒先に向かう傾斜方向にタルキ５３が配置され、この上に野地板５４が敷かれ、野地板５４の上には、瓦５６を載せるための瓦桟５５が幅方向に固定されている。また金具５１は、補強板５２を介して野地板５４に取り付けられており、そのほか金具５１に接する瓦５６は、干渉箇所を切り欠いた専用のもので、雨水などが入り込む隙間はない。図１０（Ｂ）は、金具５１の固定方法の詳細を示す斜視図であり、野地板５４は厚さ数ｍｍ程度で強度に問題があるため、金具５１は補強板５２を介して固定されている。なお補強板５２の両端部はタルキ５３の上に載っており、これを固定する釘５８は、野地板５４を貫通してタルキ５３に達している。
【０００４】
また工場や倉庫などに使用されている折板屋根や板葺き屋根の場合は、屋根が平面または傾斜角度が少ないことがある。このような屋根に太陽電池パネルを直接載せても効率よく発電できないため、通常は屋根上に鋼材などを用いた土台を敷設して、この土台の上に脚を立ち上げ、脚の長さを場所ごとに変えて傾斜を調整している。図１１は、折板屋根に太陽電池パネルを設置する場合の概要を示す斜視図で、折板６５の上を横断するように溝形綱を用いた土台６１が載せられ、ナット６６と折板６５を貫通している据付ボルト６４によって固定されている。土台６１の上には太陽電池パネル１を固定するための架台６３を設置するが、架台６３の角度を調整するため、架台６３と土台６１との間に、脚６２を介在させている。そして太陽電池パネル１は、メーカーから供給されている部品を用いて架台６３に固定する。なお脚６２は、アングル６９を介して土台６１に固定されている。
【０００５】
図１２は、土台を屋根に固定するための据付ボルト６４の概要を示す斜視図である。折板屋根の場合、図１２（Ａ）のように、折板６５を固定するために設置され、屋根の荷重を受け止める鉄骨から延びている据付ボルト６４が、折板６５を貫通しており、これにナット６６が螺合されている。なお据付ボルト６４は、建物の骨格に沿って直線状に一定の間隔で配置されており、図１１に示す土台６１には、据付ボルト６４を差し込むための孔が加工されている。また図１２（Ｂ）は板葺き屋根の場合を示し、ここでは板６７の固定に前記のような据付ボルトを使用していない。そのため板６７の継ぎ目などにキャッチ６８と呼ばれる器具を取り付けて、キャッチ６８の上に装備されたボルトを据付ボルト６４として使用する。キャッチ６８は、板６７の継ぎ目などに構成されるリブを挟み込んで屋根と一体化することが可能で、これを規則的に配置することで、土台の固定が可能になる。
【発明の開示】
【発明が解決しようとする課題】
【０００６】
図９のように瓦屋根に太陽電池パネル１を載せる際は、瓦５６を一旦外して補強板５２と金具５１の取り付けを行っているが、この間に降水があると建物内部に水が入るため、作業は短時間で終了すべきである。また金具５１は瓦５６の間を通過しているため、この位置が不正確だと瓦が浮き上がり雨水が入るほか、荷重によって金具が変形して瓦に接触した際、荷重の偏りによって瓦が割れることを防止するため、金具を瓦中央の最も凹んだ位置に揃える必要がある。さらに屋根の構造や瓦の形状は多様で、補強板や金具は、これに合わせて多種類を用意する必要があり、施工や部品管理が複雑になる。
【０００７】
また折板屋根や板葺き屋根の場合、図１１のような据付ボルト６４を利用して土台６１を固定している。したがって土台６１には、据付ボルト６４を差し込む孔を事前に加工しておく必要があるが、既設の据付ボルト６４の間隔を正確に測定することは困難で、しかも経年変化などで間隔が場所によって微妙に異なる場合も多い。そのため据付ボルト６４と土台６１の孔が一致せず、土台６１が正しく載らないため、一旦地上に降ろして孔の再加工を行うことも珍しくない。こうなると作業時間が伸びて労力や費用が無駄になるため、改善策が期待されている。なおキャッチ６８を使用する場合も、取り付け時の誤差などで同様な問題が発生する。
【０００８】
そのほか折板屋根や板葺き屋根は、前記のように傾斜角度が少なく、そのため土台と、太陽電池パネルを載せる架台との間に、図１１のような脚６２を設ける場合がある。この脚６２は、屋根の傾斜角度や方位のほか、建物の立地なども考慮する必要があり、施工現場ごとに長さが異なり、しかも一枚の太陽電池パネルに対して、個々の脚６２の長さを調整することもある。したがって施工都度、日差しの調査を行い最適な長さを算出して、専用の脚６２を製作するため、時間や費用の面で問題がある。
【０００９】
本発明はこうした実情を基に開発されたもので、多様な形態の屋根に対して汎用的に適用可能で費用の削減や作業時間の短縮が可能な、太陽電池パネルの据付具の提供を目的としている。
【課題を解決するための手段】
【００１０】
前記のうち、瓦屋根に対する課題を解決する請求項１記載の発明は、隣接するタルキを跨ぐように載置できる基板と、太陽電池パネルを取り付けるレールを固定するための支持具と、基板と支持具を締結する締結手段と、から構成され、
基板は、幅方向に延びる段差部を境として、野地板に接する固定部と、野地板に接しない滑り部と、に区画され、前記固定部の両端付近には、幅方向に延びる固定孔を備え、また前記滑り部には、幅方向に延びるガイド孔を備えており、
支持具は、前記滑り部の上面に接触する底板を備え、該底板には係止孔を備えており、
締結手段であるボルトは、前記ガイド孔から係止孔に向けて差し込まれており、支持具はガイド孔を案内として滑り部を移動可能であり、ボルトにナットを螺合させることで、支持具を基板に一体化できることを特徴とする太陽電池パネルの据付具である。
【００１１】
ここで隣接するタルキを跨ぐように載置するとは、基板の両端がタルキによって支持されている状態を指す。ただし基板とタルキは直接接触せず、間に野地板が介在している。また幅方向とは、屋根の傾斜方向に直交して、同じ高さを結ぶ方向を指す。そして基板は単純な平板ではなく、段差部を境に高さが食い違っており、固定部と称する低い方は野地板と接触して、滑り部と称する高い方は野地板との間に隙間があり、この隙間に締結手段であるボルトの頭部を収容できる。また固定部の両端には、タルキに釘を打ち込むための固定孔を設けるが、これは単なる丸孔ではなく幅方向に延びる長孔で位置調整ができる。
【００１２】
滑り部に形成されるガイド孔は、幅方向に延びる長孔で、両端近傍を結ぶように形成されている。また支持具は、板を折り曲げて形成したもので、この支持具に形成された平面状の底板には、ボルトを挿通するための係止孔が加工されている。この底板を前記の滑り部に接触させて、滑り部の下からボルトを差し込み、ガイド孔と係止孔を挿通させると、ガイド孔の中をボルトが自由に移動でき、ボルトにナットを螺合させて締め上げると、基板と支持具は一体化する。なおガイド孔は、強度を確保するため途中で分割する場合もある。
【００１３】
このように構成することで、固定孔からタルキに向けて釘を打ち込むことで、基板を強固に固定できる上、この固定孔は長孔であり、タルキの間隔が異なる場合でも、問題なく釘を打ち込むことができる。また締結手段であるボルトにナットを螺合して、これを締め上げる前は、ボルトがガイド孔を自由に移動できるため、支持具の位置を幅方向に調整可能で、調整が終わった段階でナットを締め上げて基板と支持具を一体化できる。
【００１４】
また折板屋根や板葺き屋根に対する課題を解決する請求項２記載の発明は、太陽電池パネルを支持するため屋根上に設置される土台の周囲を取り囲むように形成された受け具と、該受け具に収容された土台を押圧するための押さえ具と、受け具と押さえ具を一体化する締結手段と、から構成され、受け具または押さえ具のいずれか一方には、屋根上に突出している据付ボルトを挿通できる取付孔を備えており、
前記取付孔に据付ボルトを挿通し、ナットを螺合させて固定して、受け具と押さえ具を締結手段で一体化して、土台を挟み込んで固定できることを特徴とする太陽電池パネルの据付具である。
【００１５】
ここで土台の周囲を取り囲むように形成するとは、溝形綱などを用いた土台の側面を取り囲んで保持できるよう、鉄板などを半円形状やコの字状にしたものを指すが、受け具は、土台と隙間なく密着させる必要はなく、一部だけが接触できればよい。一方の押さえ具の形状は、受け具と一体になった際、土台を移動不能に挟み込むことができれば形状に制約はなく、また締結手段は、ボルトなど単純なものでよい。そのほか据付ボルトを挿通するための取付孔は、受け具と押さえ具が締結手段によって一体化することから、いずれか一方にあればよい。なお受け具と押さえ具は、一本の据付ボルトに対して一組が使用され、これを連続的に配置して一本の土台を固定する。
【００１６】
このように構成することで、土台に据付ボルトを直接挿通する必要がなくなり、本発明による受け具と押さえ具で、土台を挟み込んで保持するため、据付ボルトの間隔や並びに誤差が生じていても、これらを吸収して土台を確実に固定できる。
【００１７】
太陽電池パネルの据付角度を調整する脚に関する課題を解決する請求項３記載の発明は、土台と太陽電池パネルを載せる架台との間に設置され、内筒と、該内筒を内部に収納可能な外筒と、から構成され、内筒または外筒のいずれか一方に、軸線方向に沿って延在するジャッキボルトを備え、他方には前記ジャッキボルトに螺合するナットを備え、ジャッキボルトとナットとの螺合により内筒と外筒が一体化していることを特徴とする太陽電池パネルの据付具である。
【００１８】
ここで内筒と外筒は、いずれも細長い筒状のもので、円筒形が最適だが角柱形でも問題はなく、外筒は中空として、内部に内筒を収納できる断面形状とする。ただし内筒全体を収納する必要はなく、端部から半分程度が収納できればよい。そしてジャッキボルトは、内筒または外筒の一方と一体化させて、内筒または外筒を旋回させると一緒に旋回する構造とする。さらにジャッキボルトを回転させる際を考慮して、ジャッキボルトの軸線は、内筒または外筒の軸線に一致させることが望ましい。またジャッキボルトを備えていない側には、対になるナットを溶接などで接合しておき、内筒と外筒の軸線を合わせてジャッキボルトとナットを螺合させると、内筒と外筒が一体化する。
【００１９】
このように構成することで、内筒または外筒の一方を固定して他方を回転させると、ジャッキボルトとナットにより、全長を調整可能な脚として機能できるため、土台と架台の間に設置して、個々の脚の全長を変えることで架台の姿勢を自由に調整でき、太陽電池パネルの設置方向を柔軟に変化させることができる。
【発明の効果】
【００２０】
請求項１記載の発明のように、支持具の位置調整を簡単に行える構造にすることで、瓦の配置に合わせて支持具の位置を素早く精密に調整できるため、雨漏りや瓦の割れなどを予防でき、高所での作業時間も短縮できる。また基板を取り付ける固定孔を長孔とすることで、タルキの間隔が異なる場合でも、基板を固定する釘を確実にタルキ中央に打ち込める。したがって本発明の据付具は、多様な瓦屋根に対応できるため量産化が可能で、施工都度の設計や製作が不要で費用の削減も可能である。
【００２１】
請求項２記載の発明のように、折板屋根や板葺き屋根に土台を固定する際、受け具と押さえ具を介在させることで、据付ボルトを差し込むための孔を加工した専用の土台を使用する必要がなく、誤差による孔の再加工といった問題が発生せず、確実かつ円滑に施工作業を遂行できる。しかも受け具と押さえ具は、汎用的に使用できるため量産が可能であり、これによる費用の低下も期待できる。
【００２２】
請求項３記載の発明のように、ジャッキボルトを組み込んだ内筒と外筒によって全長を調整できる脚を用いることで、屋根の傾斜角度に係わらず太陽電池パネルの姿勢を最適に設定できるため、施工都度に脚を設計製作する必要がなくなり、事前に量産が可能で費用の削減が可能である。
【発明を実施するための最良の形態】
【００２３】
図１は、本発明による瓦屋根に適用される据付具の構造を示し、図１（Ａ）は斜視図で、図１（Ｂ）はＡ−Ａ断面図である。屋根の荷重を受け止めるタルキ５３は、頂部から軒先に向かう傾斜に沿って配置され、屋根の幅方向に一定の間隔をあけて連続的に配置されており、この上には屋根全体を覆う野地板５４が敷かれている。据付具は、平面状の鋼板を折り曲げて形成した基板１１と、これに取り付く支持具１２から構成されており、このうち基板１１は、屋根の幅方向に延びる段差部１４を境界として二つに分かれており、野地板５４に接触するために設けられた固定部１３と、野地板５４に接触しない滑り部１５とから構成されている。なお基板１１の両端部は、それぞれをタルキ５３の上方に位置させる必要があり、汎用性を確保するため基板１１は、タルキ５３の間隔が広い場合でも対応できる幅が確保されている。また固定部１３には、幅方向に延びる長孔状に形成された固定孔１６が設けられており、この固定孔１６は変形を防止するため中央部で途切れた構造になっている。そして固定孔１６に、野地板５４を貫きタルキ５３に到達する釘５８を打ち込むと、基板１１を固定できる。なお固定孔１６を長孔にしているため、タルキ５３の間隔が変わっても不都合なく釘５８を打ち込める。また滑り部１５は上面に突起物のない平面状で、幅方向に延びる長孔状に形成されたガイド孔１７が設けられているが、これも強度確保のため中央部で分断されている。
【００２４】
一方の支持具１２は、鋼板を折り曲げて形成され、平面状の底板１８や、レール５９を固定するため直立した先部２２などから構成され、底板１８には二個の係止孔１９が加工されている。この底板１８を滑り部１５の上面に接触させてから、滑り部１５の下から計二本のボルト２０を差し入れて、ガイド孔１７と係止孔１９を貫通させて端部にナット２１を螺合させると、基板１１と支持具１２は一体化する。ただしナット２１の締め付けを行う前は、ガイド孔１７に沿ってボルト２０が移動可能であり、支持具１２の位置調整が自在に行え、これが終わるとナット２１を締め付けて固定するが、この後の再調整も可能である。なおボルト２０の頭部は、図１（Ｂ）に示すように滑り部１５と野地板５４の間に挟まれるため、固定部１３と滑り部１５の段差は、これに合わせている。そのほか基板１１と野地板５４を強固に接合するため、ガイド孔１７からタルキ５３に向けて釘５８を打ち込む場合もある。
【００２５】
図２は、図１に示す据付具を野地板５４に固定した状態を示す。図２（Ａ）は基板１１と野地板５４とを一体化して、支持具１２をボルト２０で固定した状態だが、支持具１２の固定位置はガイド孔１７によって調整可能であり、また基板１１からタルキ５３に向けて打ち込む釘５８は、タルキ５３の中央に合わせて打ち込まれている。図２（Ｂ）はＢ−Ｂ方向から見た状態を示し、支持具１２の固定位置は、瓦５６中央の最も凹んだ所に一致させている。したがって支持具１２が荷重によって変形した場合、この両側が均等に瓦５６に接触して荷重を分散できるため、瓦５６に過大な力が作用せず割れを防止でき、また支持具１２が荷重によってねじれることもない。
【００２６】
図３は、折板屋根や板葺き屋根に適用される据付具の構造を示す正面図で、図３（Ａ）は組立前の各部が分離した状態で、図３（Ｂ）は組立後の状態である。折板屋根の場合は、これまで図１１のように折板６５の上に土台６１を直接載せていたが、本発明では、受け具３１と押さえ具３２とからなる据付具を利用する。受け具３１は、鋼板を折り曲げて形成したもので、中央には据付ボルト６４を挿通するための取付孔３３が一カ所加工され、また両端部には締結手段であるボルト３５を挿通するための孔３４が加工されている。また受け具３１と対になる押さえ具３２は、鋼板を切り出した単なる板状で、これにもボルト３５を挿通するための孔３４が加工されている。
【００２７】
受け具３１を固定する場合は、据付ボルト６４に螺合しているナット６６を外してから、ここに保護プレート３７を差し込み、次に受け具３１の取付孔３３に据付ボルト６４を挿通してからナット６６を締め直す。そして次に、受け具３１の中に土台６１を収容してから、ボルト３５を用いて押さえ具３２を受け具３１に取り付ける。この際、押さえ具３２は、受け具３１に接触する前に土台６１と接触するため、土台６１は、受け具３１と押さえ板３２によって挟み込まれて固定される。図のように土台６１は、上下だけが挟み込まれて左右には隙間が確保されているが、このような隙間を意図的に設けることで、各種の寸法誤差を吸収できる。なお受け具３１の下に敷かれる保護プレート３７は、折板６５に作用する圧力を緩和するために使用される。
【００２８】
図４は、図３のような受け具３１と押さえ具３２からなる据付具で、土台６１を固定する方法を示す斜視図である。折板６５の各頂部から上向きに突出している据付ボルト６４は、直線状に並んでおり、据付ボルト６４に螺合しているナット６６を一旦外してから、個々の据付ボルト６４に保護プレート３７と受け具３１を取り付けて、最後にナット６６を締め付けるが、この際、受け具３１の向きは図のように揃えておく。次に一列に並んでいる受け具３１の中に土台６１を配置して、押さえ具３２によって挟み込むと、土台６１は屋根の上に固定される。このような方法を用いることで、隣接する据付ボルト６４の間隔に誤差がある場合でも、この影響を受けずに土台６１を固定できる。
【００２９】
図４のようにして土台６１を固定した後は、この上に太陽電池パネル１を載せるための骨格を構築する。図５は受け具３１と押さえ具３２を用いて土台６１を固定して、この上に脚６２と架台６３を組み上げた場合の構造例を示す斜視図で、土台６１の上にＬ字状のアングル６９を取り付けて、アングル６９を介して脚６２や架台６３を取り付けていく。図のように押さえ具３２とアングル６９は、いずれも土台６１に接しており、双方が干渉する箇所では押さえ具３２を使用しない。なお図１２（Ｂ）のようなキャッチ６８を用いる場合も、キャッチ６８の上に装備された据付ボルト６４を用いて、この図と同様な方法で土台６１を固定する。またこの図では、土台６１が折板６５を横断するように配置されているが、土台６１と折板６５との交角は、受け具３１の取り付け位置によって自在に調整できる。
【００３０】
受け具３１と押さえ具３２は、図３に示すもの以外に図６のような形状も可能である。図６（Ａ）は組立前の各部が分離した状態で、図６（Ｂ）は組立後の状態である。この図に示す受け具３１は、土台６１の片側半分だけを取り囲むような形状で、下部に取付孔３３が形成されている。また押さえ具３２も土台６１に合わせて折り曲げられており、受け具３１と押さえ具３２を、締結手段であるボルト３５とナット３６で一体化すると、土台６１の両側面が挟み込まれて固定される。
【００３１】
図１１に描かれる脚６２は単純な棒状のものだが、太陽電池パネル１の傾斜角度を自在に調節するため、土台６１と架台６３を結ぶ脚６２を伸縮可能な構造にすることも可能である。図７は全長を調整可能な伸縮脚４６の断面構造を示しており、いずれも円筒形の内筒４１と外筒４２から構成されており、双方の中心を軸線４７に一致させると、内筒４１は外筒４２の下部に収納でき、内筒４１の差し込み長さを変えることで全長を調整できる。そして内筒４１の上部中央には、軸線４７に中心を合わせたナット４４が接合されており、また外筒４２には、軸線４７に中心を合わせたジャッキボルト４３が接合されている。なおジャッキボルト４３の基端付近は、ネジ溝を加工せず外筒４２の中を貫通しており、双方を溶接により一体化している。
【００３２】
ジャッキボルト４３とナット４４を螺合させると、内筒４１と外筒４２は一体化して、外筒４２に加わった荷重は、ジャッキボルト４３とナット４４を経て内筒４１に伝達される。またジャッキボルト４３の屈曲を防止するため、外筒４２の内周面には、円筒形のガイドリング４５がはめ込まれており、この内周面と内筒４１が摺動して振れを防止している。
【００３３】
図７（Ａ）は、ジャッキボルト４３の先端付近でナット４４と螺合しており、伸縮脚４６の全長が最も延びた状態で、一方の図７（Ｂ）は、ジャッキボルト４３の基端付近でナット４４と螺合しており、全長が最も縮んだ状態である。なお内筒４１の下部には、アングル６９と接続するため通し孔４８が貫通しており、また外筒４２の上部には、架台６３を締結するためのキャップ４９が接合されている。
【００３４】
図８は、図７に示される伸縮脚４６を用いて、太陽電池パネル１を支持する架台６３を載せたもので、土台６１と架台６３の距離が近い側に使用されている伸縮脚４６ａと、距離が遠い側に使用されている伸縮脚４６ｂは、内筒４１と外筒４２の長さが異なる別形状だが、いずれも一定の範囲で全長が調整可能である。伸縮脚４６ａ，４６ｂは、個別に長さを調整できるため、屋根の向きや傾斜に関わらず、太陽電池パネル１を理想的な方向に合わせて発電効率を向上できる。
【図面の簡単な説明】
【００３５】
【図１】本発明による瓦屋根に適用される据付具の構造を示し、（Ａ）は斜視図で、（Ｂ）はＡ−Ａ断面図である。
【図２】図１に示す据付具を野地板に固定した状態を示し、（Ａ）は基板と野地板とを一体化した際の斜視図で、（Ｂ）はＢ−Ｂ方向から見たものである。
【図３】折板屋根や板葺き屋根に適用される据付具の構造を示す正面図で、（Ａ）は組立前の各部が分離した状態で、（Ｂ）は組立後の状態である。
【図４】図３のような受け具と押さえ具とからなる据付具で、土台を固定する方法を示す斜視図である。
【図５】図３のような受け具と押さえ具を用いて土台を固定して、脚と架台を組み上げた場合の構造例を示す斜視図である。
【図６】受け具と押さえ具とで構成される据付具において、別の形状例を示す正面図で、（Ａ）は組立前の各部が分離した状態で、（Ｂ）は組立後の状態である。
【図７】伸縮自在な伸縮脚の構造を示す断面図で、（Ａ）は最も全長が延びた状態で、（Ｂ）は最も縮んだ状態である。
【図８】伸縮可能な脚を用いて太陽電池パネルを支持する架台を載せた状態を示す斜視図である。
【図９】瓦屋根に太陽電池パネルを設置するための従来技術例を示す斜視図である。
【図１０】瓦屋根に太陽電池パネルを設置するための従来技術例の詳細を示すもので、（Ａ）は屋根の断面図であり、（Ｂ）は金具の固定方法の詳細を示す斜視図である。
【図１１】折板屋根に太陽電池パネルを設置するための従来技術例を示す斜視図である。
【図１２】土台を屋根に固定するための据付ボルトの概要を示す斜視図で、（Ａ）は折板屋根の場合を示し、（Ｂ）は板葺き屋根の場合を示す。
【符号の説明】
【００３６】
１  太陽電池パネル
１１  基板
１２  支持具
１３  固定部
１４  段差部
１５  滑り部
１６  固定孔
１７  ガイド孔
１８  底板
１９  係止孔
２０  ボルト（締結手段）
２１  ナット（締結手段）
２２  先部
３１  受け具
３２  押さえ具
３３  取付孔
３４  孔
３５  ボルト（締結手段）
３６  ナット（締結手段）
３７  保護プレート
４１  内筒
４２  外筒
４３  ジャッキボルト
４４  ナット
４５  ガイドリング
４６  伸縮脚
４７  軸線
４８  通し孔
４９  キャップ
５１  金具（従来のもの）
５２  補強板
５３  タルキ
５４  野地板
５５  瓦桟
５６  瓦
５７  アングル
５８  釘
５９  レール
６１  土台
６２  脚
６３  架台
６４  据付ボルト
６５  折板
６６  ナット
６７  板
６８  キャッチ
６９  アングル
【図１】
2006104770.tif 000003
【図２】
2006104770.tif 000004
【図３】
2006104770.tif 000005
【図４】
2006104770.tif 000006
【図５】
2006104770.tif 000007
【図６】
2006104770.tif 000008
【図７】
2006104770.tif 000009
【図８】
2006104770.tif 000010
【図９】
2006104770.tif 000011
【図１０】
2006104770.tif 000012
【図１１】
2006104770.tif 000013
【図１２】
2006104770.tif 000014